(57)【要約】【課題】  既に保有している地図データベースを用いて、市区町村合併等により変更された行政区分名を画面上で表示修正することができる「地図表示装置」を提供すること。【解決手段】  地図データを格納した記憶手段と、画面を備えた表示手段と、ユーザ指示を入力する入力手段と、これら各手段に動作可能に接続された制御手段とを備えた地図表示装置において、制御手段により、地図データを参照して、表示手段の画面３３に入力手段からのユーザ指示に基づいた地図画像を表示している状態で、該地図画像に含まれるいずれかの行政区分エリアＲ１が選択され、かつ変更後の新行政区分名Ｇ０が入力されたときに、その新行政区分名Ｇ０を当該行政区分エリアＲ１に表示する。さらに、地図データを参照して、当該行政区分エリアＲ１に対応する旧行政区分名Ｇ１も併せて表示するようにしてもよい。【選択図】  図４
2006323096.tif 000002
【特許請求の範囲】
【請求項１】
地図データを格納した記憶手段と、
画面を備えた表示手段と、
ユーザ指示を入力する入力手段と、
前記記憶手段、表示手段及び入力手段に動作可能に接続された制御手段とを具備し、
前記制御手段は、前記地図データを参照して前記表示手段の画面に前記入力手段からのユーザ指示に基づいた地図画像を表示させている状態で、該地図画像に含まれるいずれかの行政区分エリアが選択され、かつ変更後の新行政区分名が入力されたときに、該入力された新行政区分名を当該行政区分エリアに表示させることを特徴とする地図表示装置。
【請求項２】
前記制御手段は、前記入力された新行政区分名を前記表示手段の画面上の当該行政区分エリアに表示させる際に、前記地図データを参照して当該行政区分エリアに対応する旧行政区分名も併せて表示させることを特徴とする請求項１に記載の地図表示装置。
【請求項３】
前記制御手段により前記表示手段の画面上に表示された新行政区分名の情報を、当該行政区分エリアに対応する旧行政区分名の情報とリンクさせて登録しておくための修正情報登録手段をさらに具備することを特徴とする請求項１に記載の地図表示装置。
【請求項４】
前記制御手段は、前記表示手段の画面に前記入力手段からのユーザ指示に基づいた地図画像を表示させる際に、当該地図画像に含まれる各行政区分エリア毎に色分けし、かつ隣接する行政区分エリアとは異なる色を選択して表示させることを特徴とする請求項１に記載の地図表示装置。
【請求項５】
前記制御手段は、前記入力された新行政区分名を前記表示手段の画面上の当該行政区分エリアに表示させている状態で、さらに当該新行政区分名と同じ名称に変更されている他の行政区分エリアが選択されたときに、該選択された他の行政区分エリアに当該新行政区分名を表示させると共に、当該新行政区分名に対応する各行政区分エリアを同じ色で表示させることを特徴とする請求項１に記載の地図表示装置。
【請求項６】
前記制御手段は、前記選択された他の行政区分エリアに当該新行政区分名を表示させる際に、前記地図データを参照して当該他の行政区分エリアに対応する旧行政区分名も併せて表示させることを特徴とする請求項５に記載の地図表示装置。
【請求項７】
車載用ナビゲーション装置に適用されていることを特徴とする請求項１から６のいずれか一項に記載の地図表示装置。
【請求項８】
パーソナルコンピュータに適用されていることを特徴とする請求項１から６のいずれか一項に記載の地図表示装置。
【発明の詳細な説明】
【技術分野】
【０００１】
本発明は地図表示装置に関し、特に、市区町村の合併等によりその行政区分の名称が変更された場合の地図表示に対応するのに有用な技術に関する。本発明に係る地図表示装置は、例えば、車載用ナビゲーション装置に適用され得る。
【背景技術】
【０００２】
典型的な車載用ナビゲーション装置においては、ナビゲーションに係る一切の処理を制御するＣＰＵ、地図データを格納したＣＤ−ＲＯＭやＤＶＤ−ＲＯＭ等の記憶装置、ディスプレイ装置、自車の現在位置を検出するためのＧＰＳ（Global Positioning System ）受信機、自車の進行方位や走行速度等を検出するためのジャイロや車速センサ等が設けられている。そして、ＣＰＵにより、自車の現在位置を含む地図データを記憶装置から読み出し、この地図データに基づいて自車位置の周囲の地図画像をディスプレイ装置の画面に描画すると共に、自車の現在位置を指示する自車位置マークを画面上に重ね合わせて表示し、自車の移動に応じて地図画像をスクロール表示したり、地図画像を画面に固定して自車位置マークを移動させたりして、自車が現在何処を走行しているのかを一目で判るようにしている。
【０００３】
また、車載用ナビゲーション装置には、通常、ユーザが目的地に向けて道路を間違うことなく容易に走行できるように案内する機能（経路誘導機能）が搭載されている。この経路誘導機能によれば、ＣＰＵにより、地図データを用いて出発地（典型的には自車の現在位置）から目的地までを結ぶ最適な経路を、横型探索法やダイクストラ法等のシミュレーション計算を行って探索し、その探索した経路を誘導経路として記憶しておき、走行中、地図画像上にその誘導経路を他の道路とは識別可能に（例えば、色を変えたり、線幅を太くして）表示したり、また誘導経路上で接近中の交差点まで所定距離に達したとき、地図画像上にその交差点の案内図（交差点拡大図、該交差点での進行方向を示す矢印、該交差点までの距離、交差点名など）を表示したりすることで、いずれの道路を走行すればよいか、また交差点でどの方向に進んだらよいかをユーザが把握できるようになっている。
【０００４】
このように車載の地図データベースに基づいて経路探索及び経路誘導を行うナビゲーション装置では、道路情報やＰＯＩ（Point Of Interest ）情報等に関して確度の高い情報案内を行うためには、地図データベースに格納されている地図データは、出来るだけ最新の情報を反映したデータであるのが望ましい。
【０００５】
その一方で、最近では行政指導の影響もあって全国各地で市区町村の合併が行われており、それに伴い行政区分名が変更される場合が生じている。このような状況に対して、従来のナビゲーション装置では、地図データベースとしてＨＤＤ等の書き換え可能な記憶媒体を搭載したタイプのものについては、地図データの更新（バージョンアップ）を行うことができるので特に不都合は生じないが、ＤＶＤ−ＲＯＭ等の読み出し専用の記憶媒体を搭載したタイプのものについては、地図データの更新は行われないため、市区町村名が変更されていてもその変更後の新しい行政区分名で地図表示を行うことができない。
【０００６】
これに対応するには、最新の地図情報を格納したＤＶＤ−ＲＯＭ等の地図記憶媒体に買い換えればよいが、相当のコストを要するため、積極的に買い換えを行う気になれない。また、買い換えた場合に最新の地図を確認できることによる便利さと、あえて買い換えを行わなかった場合に覚える不便さとを比較考量したときに、必ずしもコストをかけてまで最新の地図記憶媒体に買い換える必要があるかどうかは疑問である。例えば、地図データに含まれる情報のなかでも道路や交差点、建物や施設等の名称や住所等に関する情報については、変化があっても内容的にそれほど大きく変わることはなく、概して少しずつ変化しているのが現状であり、最新の地図情報に頼らなくてもさほどの不便さを覚えることはない。実際、このような場合にナビゲーション用のＤＶＤ−ＲＯＭ等を頻繁に買い換えるユーザは少ない。
【０００７】
かかるナビゲーション装置に関連する技術としては、例えば、特許文献１に記載されるように、データベースとして道路地図以外に、住所、建物、施設の名称等を示す住宅地図を備え、当該車両の位置と目的地の位置の間の距離を計算して所定距離よりも大きいか小さいかを判断し、当該距離が所定距離よりも大きい場合には道路地図に当該車両の位置を表示し、当該距離が所定距離よりも小さい場合には住宅地図に当該車両の位置を表示するように地図表示の切り換えを行うようにした技術がある。
【特許文献１】特開平５−１１３７５０号公報
【発明の開示】
【発明が解決しようとする課題】
【０００８】
上述したように地図データベースとしてＤＶＤ−ＲＯＭ等の読み出し専用の記憶媒体を搭載した従来の車載用ナビゲーション装置では、地図データの更新は行われないため、地図データに含まれる情報の内容に変更があった場合、建物や施設等の名称や住所など内容的にそれほど大きく変化しない情報については、最新の地図情報に頼らなくてもさほどの不便さを覚えることはない。
【０００９】
しかしながら、市区町村合併など内容的に大きく情報が変わってしまう場合には、保有している地図データベース（旧い地図情報）では不都合が生じる。特に、市区町村の合併が行われると、その行政区分の名称のみならず行政区分エリアも変更されるのが一般的であり、このような場合でも旧市区町村名での地図表示しか行えず、変更後の新しい行政区分名及びエリアで地図表示を行うことができないのは、やはり不便である。
【００１０】
また、ナビゲーション装置には、地図表示を行う際にユーザが視認し易いように各行政区分エリア毎に色分けして表示を行う機能を搭載したものもあるが、ＤＶＤ−ＲＯＭ等の読み出し専用の記憶媒体を搭載したタイプのものについては、市区町村合併等により行政区分エリアが変更されてもその変更に対応できないため、ユーザにとって便利な機能であるはずのエリア毎の色分け表示が役に立たないといった不都合もあった。
【００１１】
上記の課題は、車載用ナビゲーション装置に特有のものではなく、既に保有しているＤＶＤ−ＲＯＭ等の地図データベースから住所検索等を行うことができる環境下にあれば、例えば、家庭用のパーソナルコンピュータ（ＰＣ）においても同様に起こり得る。
【００１２】
本発明は、かかる従来技術における課題に鑑み創作されたもので、既に保有している地図データベースを用いて、市区町村合併等により変更された行政区分名を画面上で表示修正することができる地図表示装置を提供することを目的とする。
【００１３】
さらに本発明は、上記の行政区分名の変更に伴う行政区分エリアの色分け表示の修正に対応することができる地図表示装置を提供することを目的とする。
【課題を解決するための手段】
【００１４】
本発明では、ユーザが、ニュースや新聞、インターネット等の情報伝達媒体を介して市区町村合併等による行政区分名の変更に関する情報を知得しているか、あるいは、車載用ナビゲーション装置に適用した場合において当該車両がある行政区分エリアに入ったときに路肩の標識や案内表示板等からその行政区分の名称が変更されていることを知得したことを前提としている。
【００１５】
この前提に基づき、本発明の基本形態によれば、地図データを格納した記憶手段と、画面を備えた表示手段と、ユーザ指示を入力する入力手段と、前記記憶手段、表示手段及び入力手段に動作可能に接続された制御手段とを具備し、前記制御手段は、前記地図データを参照して前記表示手段の画面に前記入力手段からのユーザ指示に基づいた地図画像を表示させている状態で、該地図画像に含まれるいずれかの行政区分エリアが選択され、かつ変更後の新行政区分名が入力されたときに、該入力された新行政区分名を当該行政区分エリアに表示させることを特徴とする地図表示装置が提供される。
【００１６】
この基本形態に係る地図表示装置によれば、例えば、車載用ナビゲーション装置に適用した場合において当該車両がある行政区分エリアに入ったときに、ユーザ指示に基づいて表示手段の画面に表示された地図画像から当該行政区分エリアが選択され、さらに変更後の新行政区分名が入力されると、制御手段からの制御に基づき、その入力された新行政区分名が地図画像上の当該行政区分エリアに表示されるようになっている。
【００１７】
つまり、記憶手段に格納されている地図データ（既に保有している地図データベース）を用いて、市区町村合併等により変更された行政区分名の表示（修正）を画面上で行うようにしている。これにより、わざわざコストをかけて最新の地図記憶媒体に買い換えを行わなくても、変更後の新しい行政区分名で地図表示を行うことができるので、従来技術に見られたような不都合や不便さを大いに減少させることができる。
【００１８】
また、本発明の他の形態によれば、上記の形態に係る地図表示装置において、前記制御手段が、前記入力された新行政区分名を前記表示手段の画面上の当該行政区分エリアに表示させている状態で、さらに当該新行政区分名と同じ名称に変更されている他の行政区分エリアが選択されたときに、該選択された他の行政区分エリアに当該新行政区分名を表示させると共に、当該新行政区分名に対応する各行政区分エリアを同じ色で表示させることを特徴とする地図表示装置が提供される。
【００１９】
この形態に係る地図表示装置によれば、変更後の新行政区分名が当該行政区分エリアに表示されている状態で、さらに当該新行政区分名と同じ名称に変更されている他の行政区分エリアが選択されると、制御手段からの制御に基づき、その選択された他の行政区分エリアに当該新行政区分名が表示されると共に、当該新行政区分名に対応する各行政区分エリアが同じ色で表示されるようになっている。つまり、行政区分エリア毎に色分けして表示を行うにあたり、行政区分名の変更に伴い当該行政区分エリアが変更されている場合でも、その変更（当該行政区分エリアの色分け表示の修正）に対応することができる。
【発明を実施するための最良の形態】
【００２０】
以下、本発明の実施の形態について、添付の図面を参照しながら説明する。
【００２１】
図１は本発明に係る地図表示装置を車載用ナビゲーション装置に適用した場合の一実施形態に係る構成をブロック図の形態で示したものである。
【００２２】
図示の構成（地図表示装置２０）において、１はＤＶＤドライブを示し、このＤＶＤドライブ１によって駆動されるディスク１ａには、各縮尺レベル（１／１２５００、１／２５０００、１／５００００等）に応じて適当な大きさの経度幅及び緯度幅に区切られた地図データが格納されている。この地図データには、地図上に存在する建物や施設（コンビニエンスストア、スーパー・ディスカウントショップ、ガソリンスタンド等）に関するデータ（名称、位置、住所、電話番号、ジャンル等の情報）の他に、経路探索やマップマッチング等の処理を行うのに必要な道路データ及び交差点データが含まれている。道路データは、交差点や分岐等複数の道路が交わる点に対応するノード（経緯度で表現された点）と、各ノード間を結ぶ道路や車線等に対応するリンクにより構成されている。さらに地図データには、本発明に関連する情報として、各行政区分エリアに対応してそれぞれ市区町村名（行政区分名）を指示する情報も含まれている。ＤＶＤドライブ１は、ディスク１ａと共にＤＶＤ−ＲＯＭ（読み出し専用メモリ）を構成する。本実施形態では、地図データを格納する記憶媒体としてＤＶＤ−ＲＯＭを使用しているが、これに代えて、ＨＤＤ等の書き換え可能な記憶媒体を使用してもよい。
【００２３】
また、２は後述するナビゲーション装置本体を操作するための操作部を示し、本実施形態では「タッチパネル」の形態を有している。特に図示はしないが、このタッチパネルは後述するディスプレイ装置の表示面に設けられた透明電極からなり、抵抗感圧方式、静電容量結合方式など現状の技術のものが用いられる。このタッチパネル（操作部２）は、車室内の運転席と助手席の中間のセンターコンソール（図示せず）上に配置されており、少なくとも運転者がディスプレイ画面を視認でき、かつ、タッチパネルに対して操作を行えるようになっている。本実施形態では、操作部２の形態としてタッチパネルを使用しているが、これに代えて、リモートコントローラ（リモコン）式の送信機及び受信機を使用してもよい。この場合、リモコン送信機には「メニュー」ボタン、「決定」ボタン、ジョイスティック等の各種操作ボタンが設けられ、これら各種操作ボタンを操作することで、ディスプレイ装置の画面上に各種メニューや各種項目等（操作画面）が表示されたり、いずれかのメニューもしくは項目が選択されたり、選択されたメニューもしくは項目に係る処理が実行される。
【００２４】
また、３は外部と通信するための携帯電話機や車載電話機等の通信機、４はＧＰＳ衛星から送られてくるＧＰＳ信号を受信して自車の現在位置の経度及び緯度を検出するＧＰＳ受信機、５は自車の進行方位を検出するためのジャイロ等の角度センサや、一定の走行距離毎にパルスを発生する距離センサ等を備えた自立航法センサを示す。
【００２５】
また、６はＬＣＤ等のディスプレイ装置を示し、基本的には、後述するナビゲーション装置本体からの制御に基づいてナビゲーションに係る案内情報（自車の現在位置の周囲の地図、出発地から目的地までの誘導経路、自車の現在位置（自車位置マーク）など）を画面を通してユーザに提供し、さらに、後述するように本装置２０が行う市区町村合併等に係る地図表示のための操作に係る案内情報を画面に表示するものである。７はスピーカを示し、上記のナビゲーションに係る案内情報を音声によりユーザに提供し、さらに必要に応じて、上記の市区町村合併等に係る地図表示のための操作に係る案内情報を音声出力するものである。
【００２６】
また、ナビゲーション装置本体１０において、１１はＤＶＤドライブ１を介してディスク１ａから読み出された地図データを一時的に格納するバッファメモリ、１２はマイクロコンピュータ等により構成された制御部を示す。この制御部１２は、基本的には、ＧＰＳ受信機４から出力される信号に基づいて自車の現在位置を検出したり、自立航法センサ５から出力される信号に基づいて自車の走行速度を算出したり、ＤＶＤドライブ１を制御して表示させたい地図のデータをディスク１ａからバッファメモリ１１に読み出したり、バッファメモリ１１に読み出された地図データを用いて設定された探索条件で出発地（自車の現在位置）から目的地までの誘導経路を探索するなど、ナビゲーションに係る種々の処理を実行する。さらに制御部１２は、後述するように本装置２０が行う市区町村合併等に係る地図表示のための操作に係る処理を制御する機能を有している。
【００２７】
また、１３はバッファメモリ１１に読み出された地図データを用いて地図画像の描画処理を行う地図描画部を示し、本実施形態では、後述するように制御部１２からの制御に基づいて、地図画像に含まれる各行政区分エリア毎に（市区町村別に）色分けして描画処理を行う。このエリア毎の色分け表示に際し、隣接する行政区分エリアが互いに異なる色となるように選択して表示を行い、さらに、市区町村合併による変更後の新行政区分名を表示するに際し、その新行政区分名に対応する全ての行政区分エリアを同じ色で表示する。１４は制御部１２からの制御に基づき動作状況に応じて各種メニューや各種項目等を表示した操作画面及び自車位置マーク、カーソル等の各種マークを生成する操作画面・マーク発生部、１５は制御部１２によって探索された誘導経路の出発地から目的地までの全てのノード（経緯度で表現された点の座標）に関するデータを格納しておくための誘導経路記憶部、１６は制御部１２からの制御に基づいて誘導経路記憶部１５から誘導経路のデータを読み出し、当該誘導経路を他の道路とは異なる表示態様（例えば、色を変える、線幅を太くするなど）で描画する誘導経路描画部を示す。
【００２８】
また、１７は制御部１２からの制御に基づいて行政区分名を登録しておくための行政区分名登録部を示す。この行政区分名登録部１７には、後述するようにユーザによる操作部２からの入力指示に基づいてディスプレイ装置６の画面上に表示された新行政区分名（合併後の新しい市区町村名）の情報が、当該行政区分エリアに対応する旧行政区分名（地図データベース１，１ａに格納されている合併前の旧い市区町村名）の情報とリンクされて登録されている。図２は行政区分名登録部１７に登録された情報の一例を示しており、図示の例では、「○○県」という行政自治体において「△△郡ＡＡ村」と「△△郡ＢＢ町」と「ＣＣ市」の３つの行政区分（旧行政区分）が合併して「ＸＸ市」という新行政区分に変更された場合の例を示している。
【００２９】
また、１８は画像合成部を示し、制御部１２からの制御に基づいて、地図描画部１３で描画された地図画像（各行政区分エリア毎に、隣接するエリアとは異なる色で色分け表示された地図画像）に、誘導経路描画部１６で描画された誘導経路、操作画面・マーク発生部１４で生成された操作画面及び各種マーク等を重ね合わせて、ディスプレイ装置６の画面に表示させる機能を有している。さらに画像合成部１８は、後述するように本装置２０が行う市区町村合併等に係る地図表示のための操作に係る案内情報をディスプレイ装置６の画面に表示させる機能も有している。１９は音声出力部を示し、制御部１２からの制御に基づいて音声信号（ナビゲーションに係る案内情報、さらに必要に応じて、市区町村合併等に係る地図表示のための操作に係る案内情報）をスピーカ７に出力する。
【００３０】
以上のように構成された地図表示装置（車載用ナビゲーション装置）２０において、ＤＶＤドライブ１（ディスク１ａを含む）は「記憶手段」に、操作部２は「入力手段」に、ディスプレイ装置６は「表示手段」に、制御部１２は「制御手段」に、行政区分名登録部１７は「修正情報登録手段」に、それぞれ対応している。
【００３１】
以下、本実施形態に係る地図表示装置（車載用ナビゲーション装置）２０において市区町村合併等に係る地図表示を行うための処理について、図３〜図６を参照しながら説明する。なお、図３及び図４は当該地図表示を行うための処理の一例を操作画面の遷移順に従って示したものであり、図３（ｄ）と図４（ａ）は同じ画面表示を示している。同様に、図５及び図６は当該地図表示を行うための処理の他の例を操作画面の遷移順に従って示したものであり、図５（ｄ）と図６（ａ）は同じ画面表示を示している。
【００３２】
＜第１の処理例：図３、図４参照＞
先ず、前提条件として、本装置２０を搭載した車両が目的地に向けて経路誘導されており、その途中である行政区分エリアに入ったときに、ユーザ（少なくとも運転者）が、路肩の標識や案内表示板等からそのエリアの行政区分名が変更されていることを知得したものとする。
【００３３】
そして、車両を停止させた状態で、最初のステップでは（図３（ａ）参照）、操作部２からのユーザ指示に基づき制御部１２及び操作画面・マーク発生部１４を介してディスプレイ装置６の画面に、図示のように操作画面（メニュー画面）３０を表示する。このメニュー画面３０には、選択項目として「住所名表示変更」４１が表示されている。ユーザがこの「住所名表示変更」４１にタッチすると、制御部１２からの制御に基づきディスプレイ装置６の画面が次の操作画面３１（図３（ｂ）参照）に遷移する。この操作画面３１には、選択項目として「住所から選んで変更」４２と、「地図から選んで変更」４３が表示されている。
【００３４】
ユーザが「住所から選んで変更」４２にタッチすると、制御部１２からの制御に基づきディスプレイ装置６の画面が次の操作画面３２（図３（ｃ）参照）に遷移する。この操作画面３２には、選択項目として旧住所（旧い市区町村名）を指示する情報４４（図示の例では「ＡＡ村」、「ＢＢ町」、「ＣＣ市」）と、ユーザに情報入力を促すための案内情報５１（図示の例では、「旧住所を選択してください。」）が表示されている。ユーザがこの案内情報５１に従って旧住所の選択項目４４（図示の例では、「ＡＡ村」）にタッチすると、制御部１２からの制御に基づきディスプレイ装置６の画面が次の操作画面３３（図３（ｄ）参照）に遷移する。図３（ｃ）に示す処理例では、ユーザに情報入力を促すための案内情報５１を画面３２に表示しているが、この画面表示の代わりに、制御部１２からの制御に基づいて当該案内情報をスピーカ７から音声出力させるようにしてもよい。
【００３５】
一方、操作画面３１において「地図から選んで変更」４３にタッチすると、制御部１２からの制御に基づきディスプレイ装置６の画面が次の操作画面３３（図３（ｄ）参照）に遷移する。
【００３６】
この操作画面３３には、操作画面３２において選択された旧住所を含む地図画像、もしくは操作画面３１において「地図から選んで変更」４３の選択に基づき制御部１２により抽出された自車位置周辺の地図画像が表示されている。さらに操作画面３３には、ユーザに情報入力を促すための案内情報５２（図示の例では、「変更したい地図エリアを選択してください。」）も表示されている。地図画像の表示に際しては、制御部１２からの制御に基づき地図描画部１３を介して、当該地図画像に含まれる各行政区分エリア（図示の例では「ＡＡ村」Ｒ１、「ＢＢ町」Ｒ２、「ＣＣ市」Ｒ３）は、互いに隣合うエリアが異なる色となるように選択されて色分け表示される。図中、各エリアＲ１，Ｒ２，Ｒ３に付されているハッチングの向き及び線間隔の違いは、各エリア毎に表示色が異なっている状態を表している。
【００３７】
なお、図３（ｄ）の表示例（＝図４（ａ）の表示例）では、図示の簡単化のため、自車が走行中の誘導経路や自車位置マーク等の表示は省略している。
【００３８】
ユーザが操作画面３３に表示されている案内情報５２に従っていずれかの行政区分エリア（図示の例では、「ＡＡ村」Ｒ１）にタッチすると、制御部１２からの制御に基づきディスプレイ装置６の画面が次の操作画面３４（図４（ｂ）参照）に遷移する。図４（ａ）に示す処理例では、画面３３（タッチパネル）上の当該部分を指でタッチして行政区分エリア（「ＡＡ村」Ｒ１）を選択しているが、このタッチパネルの代わりにリモコン送信機を用いて当該エリアを選択するようにしてもよい。この場合、リモコン送信機に設けられているジョイスティックを操作して画面３３上の当該地図エリア（「ＡＡ村」Ｒ１内の地点）にカーソルを合わせ、「決定」ボタンを操作して当該エリアを選択する。また、案内情報５２を画面３３に表示する代わりに、制御部１２からの制御に基づいて当該案内情報をスピーカ７から音声出力させるようにしてもよい。
【００３９】
操作画面３４（図４（ｂ））には、図示のように「５０音入力」キー４５や「完了」キー４６等の各種操作ボタンと、操作画面３３において選択されたエリアの旧行政区分名の情報Ｇ１（図示の例では、「○○県△△郡ＡＡ村」）と、ユーザが「５０音入力」キー４５にタッチして入力した新行政区分名の情報Ｇ０（図示の例では、「○○県ＸＸ市」）が表示されている。入力した新行政区分名（Ｇ０）を確認すると、「完了」キー４６にタッチして確定させる。
【００４０】
このようにして市区町村合併等による変更後の市区町村名（新行政区分名）が入力されると、制御部１２からの制御に基づきディスプレイ装置６の画面が次の操作画面３５（図４（ｃ）参照）に遷移する。この画面３５には、制御部１２からの制御に基づいて、入力された新行政区分名（この場合、「ＸＸ市」）の情報Ｇ０が当該行政区分エリアＲ１に表示される。この際、地図データベース（ＤＶＤ−ＲＯＭ１，１ａ）を参照して、当該行政区分エリアＲ１に対応する旧行政区分名（この場合、「△△郡ＡＡ村」）の情報Ｇ１も併せて表示される。
【００４１】
さらに、画面３５に表示された新行政区分名（「ＸＸ市」）の情報Ｇ０は、制御部１２により行政区分名登録部１７に、図２に例示したようなテーブルの態様で登録される。すなわち、地図データベース１，１ａを参照して、当該行政区分エリアＲ１に対応する旧行政区分名（「△△郡ＡＡ村」）を特定し、その旧行政区分名の情報Ｇ１とリンクさせて当該新行政区分名の情報Ｇ０を記憶する。
【００４２】
＜第２の処理例：図５、図６参照＞
この第２の処理例では、上述した第１の処理例（図３、図４）と同じ前提条件で、かつ第１の処理が既に行われているものとする。
【００４３】
上述した図３（ａ）、（ｂ）で行った処理と同様にして図５（ａ）、（ｂ）のステップを経た後、ユーザが案内情報５１（図５（ｃ））に従って旧住所の選択項目４４（図示の例では、「ＢＢ町」）にタッチし、もしくは操作画面３１（図５（ｂ））において「地図から選んで変更」４３にタッチすると、制御部１２からの制御に基づきディスプレイ装置６の画面が次の操作画面３６（図５（ｄ）＝図６（ａ））に遷移する。
【００４４】
この操作画面３６には、上述した操作画面３３（図３（ｄ）＝図４（ａ））の場合と同様に隣合う行政区分エリアが異なる色となるような表示態様で、選択された旧住所（この場合、「ＢＢ町」）を含む自車位置周辺の地図画像が表示され、さらに案内情報５２も表示されている。但し、上述した操作画面３３の場合とは違い、この操作画面３６に表示されている地図画像に含まれる行政区分エリアの一部（図示の例では、「△△郡ＡＡ村」Ｒ１）については、制御部１２により行政区分名登録部１７に登録されているテーブル（図２）を参照して、当該行政区分エリアＲ１に対応する旧行政区分名（「△△郡ＡＡ村」）の情報Ｇ１と共に、新行政区分名（「ＸＸ市」）の情報Ｇ０も表示されている。
【００４５】
このように新行政区分名（「ＸＸ市」）の情報Ｇ０が当該行政区分エリアＲ１に表示されている状態で、さらにユーザ指示（タッチ操作）に基づいて当該新行政区分名と同じ名称に変更されている他の行政区分エリア（図示の例では、「ＢＢ町」Ｒ２）が選択されると、制御部１２からの制御に基づきディスプレイ装置６の画面が次の操作画面３７（図６（ｂ）参照）に遷移する。この操作画面３７には、上述した操作画面３４（図４（ｂ））の場合と同様に、「５０音入力」キー４５や「完了」キー４６等の各種操作ボタンと、操作画面３６において選択されたエリアの旧行政区分名の情報Ｇ２（図示の例では、「○○県△△郡ＢＢ町」）と、「５０音入力」キー４５にタッチして入力した新行政区分名の情報Ｇ０（この場合、「○○県ＸＸ市」）が表示されている。同様に、入力した新行政区分名（Ｇ０）を確認すると、「完了」キー４６にタッチして確定させる。
【００４６】
このようにして新行政区分名（「○○県ＸＸ市」）が入力されると、制御部１２からの制御に基づきディスプレイ装置６の画面が次の操作画面３８（図６（ｃ）参照）に遷移する。この画面３８には、制御部１２からの制御に基づき、既に登録されている新行政区分名（「ＸＸ市」）と同じ名称の行政区分名が入力された旨を案内する情報５３（図示の例では、「同じ名称の市町村名があります。同じ市町村として表示しますか？」）が表示されている。さらに画面３８には、この案内情報５３に対してユーザが選択すべき「はい」又は「いいえ」の選択項目４７が表示されている。ユーザが「はい」にタッチすると、制御部１２からの制御に基づきディスプレイ装置６の画面が次の操作画面３９（図６（ｄ）参照）に遷移する。
【００４７】
この画面３９には、制御部１２からの制御に基づいて、旧行政区分エリア（図示の例では、「△△郡ＡＡ村」）の新名称として既に登録されている新行政区分名（「ＸＸ市」）と同じ名称に変更されている他の行政区分エリア（この場合、「△△郡ＢＢ町」）に、当該新行政区分名（「ＸＸ市」）の情報Ｇ０が表示される。この際、地図データベース（ＤＶＤ−ＲＯＭ１，１ａ）を参照して、当該他の行政区分エリアに対応する旧行政区分名の情報Ｇ２も併せて表示される。表示に際しては、制御部１２からの制御に基づき地図描画部１３を介して、当該新行政区分名（「ＸＸ市」）に対応する各行政区分エリア（「△△郡ＡＡ村」及び「△△郡ＢＢ町」）を同じ色で表示する。さらに、制御部１２からの制御に基づいて行政区分名登録部１７に、新行政区分名（「ＸＸ市」）の情報Ｇ０を旧行政区分名（この場合、「△△郡ＢＢ町」）の情報Ｇ２とリンクさせて登録する（図２）。
【００４８】
以上説明したように、本実施形態に係る地図表示装置２０によれば、本装置を搭載した車両が目的地に向けて経路誘導されている途中である行政区分エリアに入ったときに、ユーザ指示に基づいてディスプレイ装置６の画面３３（図４（ａ））に表示された地図画像から当該行政区分エリアＲ１が選択され、さらに新行政区分名Ｇ０（図４（ｂ））が入力されると、制御部１２からの制御に基づきディスプレイ装置６の画面３５（図４（ｃ））に、その入力された新行政区分名Ｇ０が当該行政区分エリアＲ１に表示されると共に、当該エリアＲ１に対応する旧行政区分名Ｇ１も併せて表示されるようになっている。
【００４９】
つまり、ＤＶＤ−ＲＯＭ１，１ａに格納されている地図データ（既に保有している地図データベース）を用いて、市区町村合併等により変更された行政区分名の表示（修正）を画面上で行うようにしている。これにより、わざわざコストをかけて最新の地図記憶媒体に買い換えを行わなくても、変更後の新しい行政区分名で地図表示を行うことができるので、従来技術に見られたような不都合や不便さを大いに減少させることができる。
【００５０】
また、ディスプレイ装置６の画面３６（図６（ａ））上で新行政区分名Ｇ０が当該行政区分エリアＲ１に表示されている状態で、さらにユーザ指示に基づいて当該新行政区分名Ｇ０と同じ名称に変更されている他の行政区分エリアＲ２が選択されると、制御部１２からの制御に基づきディスプレイ装置６の画面３９（図６（ｄ））に、その選択された他の行政区分エリアＲ２に新行政区分名Ｇ０が表示されると共に、その新行政区分名Ｇ０に対応する各行政区分エリアＲ１，Ｒ２が同じ色で表示されるようになっている。つまり、行政区分エリア毎に色分けして表示を行うにあたり、行政区分名の変更に伴い当該行政区分エリアが変更されている場合でも、その変更（当該行政区分エリアの色分け表示の修正）に対応することが可能となる。
【００５１】
上述した実施形態では、本発明に係る地図表示装置を車載用ナビゲーション装置２０に適用した場合を例にとって説明したが、本発明は、その要旨構成（既に保有しているＤＶＤ−ＲＯＭ等の地図データベースを用いて、市区町村合併等により変更された行政区分名の表示（修正）及びそれに伴う行政区分エリアの色分け表示（修正）を行うこと）からも明らかなように、ナビゲーション用の地図表示に限定されないことはもちろんである。例えば、家庭用のパーソナルコンピュータ（ＰＣ）を用いて地図データベース（ＰＣに接続可能な記憶媒体）から住所検索等を行う場合においても、本発明は同様に適用することが可能である。
【００５２】
また、上述した実施形態では、市区町村合併等により生じる行政区分名の変更及びそれに伴うエリアの色分け表示を行う場合を例にとって説明したが、これとは逆に、いったん市区町村合併を行ったがその後住民不満の増大などにより合併が解消された場合にも、本発明は同様に適用することが可能である。
【００５３】
この場合、上述した実施形態に係る各処理例（図３〜図６）に準じて、既に保有している地図データベース（ＤＶＤ−ＲＯＭ１，１ａ）と、行政区分名登録部１７に登録されている情報（合併前の旧い市区町村名と合併時の新名称とをリンクさせて登録した情報）を参照することで、上述した実施形態と同様に合併解消後の行政区分名の表示修正及びそれに伴う行政区分エリアの色分け表示の修正を行うことができる。
【００５４】
また、上述した実施形態では、市区町村の合併等による行政区分名の変更に関する情報を、本装置２０を搭載した車両が当該行政区分エリアに入ったときに知得した場合を例にとって説明したが、本発明の要旨からも明らかなように、当該情報を知得するタイミングがこれに限定されないことはもちろんである。例えば、ニュースや新聞、インターネット等により当該情報を既に知得している場合には、車両の走行に先立って、上記の行政区分名の表示（修正）及びそれに伴う行政区分エリアの色分け表示（修正）を行うことも可能である。
【図面の簡単な説明】
【００５５】
【図１】本発明に係る地図表示装置を車載用ナビゲーション装置に適用した場合の一実施形態に係る構成を示すブロック図である。
【図２】行政区分名登録部に登録された情報の一例を示す図である。
【図３】図１の装置において市区町村合併等に係る地図表示を行うための処理の一例を操作画面の遷移順に従って示す図（その１）である。
【図４】図１の装置において市区町村合併等に係る地図表示を行うための処理の一例を操作画面の遷移順に従って示す図（その２）である。
【図５】図１の装置において市区町村合併等に係る地図表示を行うための処理の他の例を操作画面の遷移順に従って示す図（その１）である。
【図６】図１の装置において市区町村合併等に係る地図表示を行うための処理の他の例を操作画面の遷移順に従って示す図（その２）である。
【符号の説明】
【００５６】
１…ＤＶＤドライブ（ＤＶＤ−ＲＯＭ／記憶手段）、
２…操作部（入力手段）、
６…ディスプレイ装置（表示手段）、
１２…制御部（制御手段）、
１３…地図描画部、
１７…行政区分名登録部（修正情報登録手段）、
２０…車載用ナビゲーション装置（地図表示装置）、
３０〜３９…表示画面、
４１〜４４，４７…選択項目、
４５，４６…操作ボタン、
５１〜５３…案内情報、
Ｇ０…新行政区分名の情報、
Ｇ１，Ｇ２…旧行政区分名の情報、
Ｒ１，Ｒ２，Ｒ３…行政区分エリア。
【図１】
2006323096.tif 000003
【図２】
2006323096.tif 000004
【図３】
2006323096.tif 000005
【図４】
2006323096.tif 000006
【図５】
2006323096.tif 000007
【図６】
2006323096.tif 000008